(57)【要約】【課題】配管との干渉を避けつつ引出の収納量を十分に確保することが可能な収納庫を提供することを目的とする。【解決手段】本発明にかかる収納庫１００の構成は、被収納物を収納可能な引出１３０、および引出１３０をスライド自在に収容する本体部１１０を備えた収納庫であって、本体部１１０は、本体部１１０の手前側かつ床近傍に配置される低い第１底板１２２と、第１底板１２２より奥側かつ上方に配置され配管スペース１２４ａを形成する高い第２底板１２４と、を含み、引出１３０は、前板１３２と、前板１３２の背後に位置し底面が第１底板１２２近傍に至る深い第１収納部１４２と、第１収納部１４２より奥側に位置し底面が第２底板１２４近傍に至る浅い第２収納部１４４と、を含むことを特徴とする。【選択図】図１
2020014803.tif 000002
【特許請求の範囲】
【請求項１】
被収納物を収納可能な引出、および該引出をスライド自在に収容する本体部を備えた収納庫であって、
前記本体部は、
前記本体部の手前側かつ床近傍に配置される低い第１底板と、
前記第１底板より奥側かつ上方に配置され配管スペースを形成する高い第２底板と、
を含み、
前記引出は、
前板と、
前記前板の背後に位置し底面が前記第１底板近傍に至る深い第１収納部と、
前記第１収納部より奥側に位置し底面が前記第２底板近傍に至る浅い第２収納部と、
を含むことを特徴とする収納庫。
【請求項２】
前記引出は、
前記第２収納部の底面の高さに配置される底板と、
前記底板の第１収納部に相当する位置に形成される孔と、
上方が開口した箱形状の部材であり前記孔にはめ込まれる収納ポケットと、
を含むことを特徴とする請求項１に記載の収納庫。
【請求項３】
前記引出は、
前記第２収納部の底面の高さに配置される底板と、
上方が開口した箱形状の部材である収納ポケットと、
前記収納ポケットの上部両端に形成されたフランジと、
を更に含み、
前記底板の両側縁および前記収納ポケットのフランジが、前記引出の側板の溝に差し込まれていることを特徴とする請求項１に記載の収納庫。
【発明の詳細な説明】
【技術分野】
【０００１】
本発明は、被収納物を収納可能な引出、および引出をスライド自在に収容する本体部とを備えた収納庫に関する。
【背景技術】
【０００２】
キッチンの収納庫（キャビネット）には、シンクやコンロの下方に収納空間が設けられる。例えば特許文献１には、収納空間の下部であって配管スペースよりも手前側に引出が収納されたキッチン用キャビネットが開示されている。特許文献１のように引出を設けることにより、引出に物品を収納することができ、キッチン用キャビネット内の収納空間を有効に活用することが可能となる。
【先行技術文献】
【特許文献】
【０００３】
【特許文献１】特開２０１４−６４７８６号公報
【発明の概要】
【発明が解決しようとする課題】
【０００４】
近年、キッチンのリフォームの需要が高まっている。このとき、特許文献１のようにキッチンのシンクの配管（主に排水管）が壁際に立ち上がっているパターンであれば、既設の配管と干渉することなく新設のキッチンのキャビネットを配置することができる。しかしながら、少し前の年代のキッチンでは、キッチンの奥行き方向のほぼ中央の床から排水管が立ち上がる構成が主流であった。新しいキッチンに交換する際には、配管を床下から壁際に立ち上げる配管工事を行うことによってこの配管（排水管）を壁際に引き回すことになるが、かかる配管工事は多大なコストおよび時間を要する。
【０００５】
また上記の配管工事において床からエルボーで曲げて壁際に配管を引き回すと、配管の水平部分より上方に収納庫の底面を配置することとなる。すると、引出の内部空間の高さを十分に確保することができず、引出ひいては収納庫の収納量が低下してしまう。
【０００６】
本発明は、このような課題に鑑み、配管との干渉を避けつつ引出の収納量を十分に確保することが可能な収納庫を提供することを目的としている。
【課題を解決するための手段】
【０００７】
上記課題を解決するために、本発明にかかる収納庫の代表的な構成は、被収納物を収納可能な引出、および引出をスライド自在に収容する本体部を備えた収納庫であって、本体部は、本体部の手前側かつ床近傍に配置される低い第１底板と、第１底板より奥側かつ上方に配置され配管スペースを形成する高い第２底板と、を含み、引出は、前板と、前板の背後に位置し底面が第１底板近傍に至る深い第１収納部と、第１収納部より奥側に位置し底面が第２底板近傍に至る浅い第２収納部と、を含むことを特徴とする。
【０００８】
上記構成によれば、第２底板によって本体部の奥側に配管スペースが形成される。そして、配管スペースの前方には引出の第１収納部が配置される。これにより、配管との干渉を避けつつ、収納空間の高さが十分に得られる。したがって、第１収納部にペットボトル等の高さが高い物品を収納することができ、引出の収納量を十分に確保することが可能となる。また配管スペースの上方に浅い第２収納部が配置されることにより、配管スペースの上方の空間を収納スペースとして有効活用することが可能となる。
【０００９】
上記引出は、第２収納部の底面の高さに配置される底板と、底板の第１収納部に相当する位置に形成される孔と、上方が開口した箱形状の部材であり孔にはめ込まれる収納ポケットと、を含むとよい。かかる構成によれば、引出の底板の孔に収納ポケットをはめ込むことにより、第１収納部を容易に形成することが可能となる。
【００１０】
上記引出は、第２収納部の底面の高さに配置される底板と、上方が開口した箱形状の部材である収納ポケットと、収納ポケットの上部両端に形成されたフランジと、を更に含み、底板の両側縁および収納ポケットのフランジが、引出の側板の溝に差し込まれているとよい。かかる構成によれば、収納ポケットによって形成される第１収納部の幅を引出の全幅と同じ幅まで広げることができる。したがって、引出の収納量を更に高めることが可能となる。
【発明の効果】
【００１１】
本発明によれば、配管との干渉を避けつつ引出の収納量を十分に確保することが可能な収納庫を提供することができる。
【図面の簡単な説明】
【００１２】
【図１】本実施形態にかかる収納庫を示す図である。
【図２】引出の詳細を説明する図である。
【図３】本実施形態にかかる引出の第１実施例を説明する図である。
【図４】本実施形態にかかる引出の第２実施例を説明する図である。
【発明を実施するための形態】
【００１３】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１４】
図１は、本実施形態にかかる収納庫１００を示す図である。なお、本実施形態では、収納庫１００としてキッチンのシンクキャビネットを例示するが、これに限定するものではない。例えば、洗面化粧台の収納庫等、内部に配管１０２が配置されている収納庫にも本発明を適用することが可能である。また理解を容易にするために、図１では、本体部１１０の手前側の側板を不図示とし、後述する底板によって隠れている配管１０２を破線にて図示している。
【００１５】
図１に示すように、本実施形態の収納庫１００は、本体部１１０および引出１３０を含んで構成される。本体部１１０は、壁（不図示）に接する背板１１２を有し、背板１１２の左右両側には一対の側板１１４（手前側は不図示）が配置される。側板１１４の上方には天板１１６が配置され、天板１１６にはシンク１１８が取り付けられている。シンク１１８からの配管１０２は、図１に示すように本体部１１０の内部を通過して水を外部に排出する。
【００１６】
図１に示すように、本実施形態では、本体部１１０は、第１底板１２２、第２底板１２４および第３底板１２６からなる３つの底板を備える。第１底板１２２は、本体部１１０の手前側かつ床近傍に配置され、第２底板１２４は、第１底板１２２より奥側かつ上方に配置され配管スペース１２４ａを形成する。第３底板１２６は、第２底板１２４より奥側かつ上方に配置される。
【００１７】
第１底板１２２と第２底板１２４は、下側連結板１２８ａによって連結されていて、第２底板１２４と第３底板１２６は、上側連結板１２８ｂによって連結されている。なお、本実施形態では、下側連結板１２８ａおよび上側連結板１２８ｂによって各底板を連結する構成を例示したが、これに限定するものではない。例えば、第１底板１２２または第２底板１２４と下側連結板１２８ａとが一体となった断面Ｌ字形状の板材や、第２底板１２４または第３底板１２６と上側連結板１２８ｂとが一体となった断面Ｌ字形状の板材を用いる構成としてもよい。
【００１８】
なお、第３底板１２６には浄水器ユニット等（不図示）が設置される場合がある。このため、第３底板１２６は、浄水器ユニット等の重量に耐えられる程度の強度を有することが好ましい。また第３底板１２６は、排水管１０２が挿通される位置に挿通孔（不図示）が形成される。このため、第３底板１２６は、挿通孔を形成可能な加工性を有することが好ましい。
【００１９】
上述したように３つの底板を用いる構成により、本実施形態の収納庫１００は底板が２段の階段形状となっている。特に本体部１１０の手前側の第１底板１２２を低く床近傍に配置したことにより、配管スペース１２４ａよりも前方において収納空間の高さを十分に確保することができる。そして、配管スペース１２４ａの上方に第２底板１２４が配置されることにより、配管スペースの上方においても収納空間を確保することができる。
【００２０】
また第３底板１２６が配置されることにより、配管１０２の大部分を目隠しすることができると共に、給水管やガス配管を横方向に引き回すためのスペースを確保することができる。したがって、引出１３０を取り外した際の本体部１１０の外観性を高めることが可能となる。更に、本実施形態のように第３底板を設けることにより、上述した浄水器ユニット等を設置するためのスペースを確保することができるという利点も得られる。
【００２１】
特に、実際のリフォーム現場では、既設のキッチンを撤去して初めて排水管１０２の構成がわかることが多々あるが、その際には、新設のキッチンキャビネットは手配済みの状態である。このようなケースに対し本実施形態の収納庫１００であれば、排水管１０２が中央から立ち上がっている場合、および排水管１０２が横方向に伸びている場合のいずれの現場においても対応することが可能となる。
【００２２】
なお、排水管１０２のうち、水平方向に伸びる部分は、排水のための勾配をとる必要がある。このため、第３底板１２６と本体部１１０の底面との間にはある程度の高さを確保するべきであり、具体的には、第３底板１２６と本体部１１０の底面との間隔を２５０ｍｍ程度確保することが好ましい。
【００２３】
図１に示す引出１３０は、被収納物（図２参照）を収納可能であり、本体部１１０にスライド自在に収容される。引出１３０は、前板１３２を有し、前板１３２の左右両側には一対の側板１３４が配置される。特に本実施形態では、引出１３０は、深い第１収納部１４２および浅い第２収納部１４４を有する。
【００２４】
ここで、シンクキャビネットでは、上部にシンク１１８が配置されているため、図１に示す引出の上方に設けられる引出（不図示）は、十分な高さを確保することができない。そこで、本実施形態の引出１３０のように下方に配置される引出１３０において深い第１収納部１４２を手前側に設けることにより、シンクキャビネットにおいて高さの高い被収納物を収納することが可能となる。
【００２５】
特にキッチンでは、誤使用を避ける意図、または心理的な面から、食品と洗剤を分けて保管するユーザーが多く、シンクキャビネットには洗剤が保管されるケースが多い。洗剤等のボトルは高さが高いため、シンクキャビネットに十分な深さを有する引出が設けられない場合、ユーザは、本実施形態の第３底板１２６に相当するキャビネットの奥側のスペースに洗剤等の背の高いボトルを収納しなければならず、洗剤等の出し入れが不便であった。
【００２６】
これに対し、本実施形態のように引出１３０の手前側に深い第１収納部１４２を設けることにより、シンクキャビネットにおいて洗剤等の背の高いボトルを引出１３０の手前側に収納することができる。これにより、引出１３０を開き切ることなく洗剤等の出し入れが可能となるため、ユーザの使い勝手の向上を図ることができる。なお、このように第１収納部１４２には洗剤が収納されることが想定されるため、第１収納部１４２には耐薬品性が高い材質を用いることが好ましい。
【００２７】
また、引出１３０の前方視での外観は、収納庫１００に隣接する他の収納庫、例えばコンロキャビネットやベースキャビネット（ともに不図示）に収容される引出の外観と共通化することが好ましい。これにより、複数の収納庫の統一感を高め、キッチン全体の美観の向上を図ることが可能となる。
【００２８】
図２は、引出１３０の詳細を説明する図である。第１収納部１４２は、前板１３２の背後に位置し、底面１４２ａが第１底板１２２近傍に至る深い収納領域である。これにより、図２に示すように、配管スペース１２４ａの前方において、大きいペットボトル等の高さが高い被収納物２００ａを好適に収納することができる。一方、第２収納部１４４は、第１収納部１４２より奥側に位置し、底面１４４ａが第２底板１２４近傍に至る浅い収納領域である。これにより、図２に示すように、配管スペース１２４ａの上方において、高さが低い被収納物２００ｂを好適に収納することができる。したがって、本実施形態の収納庫１００によれば、配管１０２との干渉を避けつつ、本体部１１０内の空間を最大限収納に活用することが可能となり、引出１３０の収納量を高めることができる。
【００２９】
ここで、リフォームが必要な年代のキッチンでは、図２に示すように、配管１０２がキッチンの奥行き方向のほぼ中央の床から立ち上がっていて、クランク形状で壁際に引き回されている配管タイプが多い。このような配管タイプの場合、本体部１１０の背板１１２から配管１０２の前端（立ち上がり部分）までの奥行きＤ１は１２５〜３００ｍｍ程度である。このため、背板１１２から下側連結板１２８ａまでの距離Ｄ２を３７５ｍｍ程度とすれば、配管１０２が中央から立ち上がっている場合であっても既設の配管１０２を配管スペース１２４ａ内に収めることができる。
【００３０】
そして、仮に本体部１１０の奥行きＤ３を５８０ｍｍ程度と想定した場合、背板１１２から下側連結板１２８ａまでの距離Ｄ２を３７５ｍｍ程度とすると、第１収納部１４２の奥行きＤ４は２０５ｍｍ程度となり、第１収納部１４２の内寸を１３０ｍｍ程度確保することができる。このように、第１収納部１４２の内寸を１３０ｍｍ程度確保できれば、１リットルのペットボトルや６００ｍｌのお徳用洗剤ボトルのような径が大きい被収納物を好適に収納することができる。
【００３１】
また配管１０２の垂直方向部分を避けるためには、背板１１２から上側連結板１２８ｂまでの距離Ｄ５は１３３ｍｍ程度必要となる。すると、本体部１１０の奥行きＤ３を５８０ｍｍ程度と想定した場合、第２収納部１４４の奥行きＤ６は２４０ｍｍ程度確保でき、被収納物を収納可能な内寸は２２３ｍｍ程度となる。これにより、奥行き方向に幅が広い被収納物や、背の低い被収納物を好適に収納することが可能となる。
【００３２】
図３は、本実施形態にかかる引出の第１実施例を説明する図である。図３（ａ）は、組立後の状態の引出１３０ａの斜視図であり、図３（ｂ）は、組立前の状態の引出１３０ａの斜視図である。なお、先に説明した部材については、同一の符号を付すことにより説明を省略する。
【００３３】
図３（ａ）に示すように、第１実施例の引出１３０ａは、底板１３８ａおよび収納ポケット１５０ａを有する。底板１３８ａは、第２収納部１４４の底面１４４ａ（図２参照）の高さに配置される板材であり、図３（ｂ）に示すように第１収納部１４２（図２参照）に相当する位置にコの字形状の孔１３９が形成されている。収納ポケット１５０ａは、前面および上方が開口した箱形状の部材である。
【００３４】
第１実施例の引出１３０ａを組み立てる際には、まず両側板１３４と背板１３６を取り付ける。底板１３８aの両側縁を２つの側板１３４の溝１３４aへ、底板１３８aの後縁を背板１３６の溝１３６aに差し込み、底板１３８aの前部と側板１３４の前部を前板１３２の背面に固定し、底板１３８ａの孔１３９に収納ポケット１５０ａをはめ込む。これにより、収納ポケット１５０ａのフランジ１５２が底板１３８ａの孔１３９の両側の面に係止され、図３（ａ）に示すように引出１３０ａが組み立てられる。かかる構成によれば、引出１３０ａの底板１３８ａの孔１３９に収納ポケット１５０ａをはめ込むことにより、第１収納部１４２（図２参照）を容易に形成することができる。したがって、引出組立時の作業効率を高めることが可能となる。
【００３５】
このとき、第１実施例の引出１３０ａでは、図３（ｂ）に示すように、底板１３８ａは、上方視において前側が開口したコの字形状を有する。これにより、図３（ａ）に示すように引出１３０ａを組み立てた際に、収納ポケット１５０ａのフランジ１５２が底板１３８ａによって支持された状態となるため、第１収納部１４２において高い強度を得ることが可能となる。
【００３６】
図４は、本実施形態にかかる引出の第２実施例を説明する図である。図４（ａ）は、組立後の状態の引出１３０ｂの斜視図であり、図４（ｂ）は、組立前の状態の引出１３０ｂの斜視図である。なお、先に説明した部材については、同一の符号を付すことにより説明を省略する。
【００３７】
図４（ａ）に示すように、第２実施例の引出１３０ｂは、底板１３８ｂおよび収納ポケット１５０ｂを有する。底板１３８ｂは、第２収納部１４４の底面１４４ａ（図２参照）の高さに配置される板材である。収納ポケット１５０ｂは、上方が開口した箱形状の部材であり、上部の両縁にフランジ１５２が形成されている。
【００３８】
第２実施例の引出１３０ｂを組み立てる際には、まず、両側板１３４と背板１３６を取り付ける。底板１３８bの両側縁を２つの側板１３４の溝１３４aへ、底板１３８aの後縁を背板１３６の溝１３６aに差し込む。そして、収納ポケット１５０ｂのフランジ１５２を側板１３４の溝１３４aに差し込み、側板１３４の前部を前板１３２の背面に固定する。これにより、収納ポケット１５０ｂのフランジ１５２が側板１３４によって支持され、図４（ａ）に示すように引出１３０ｂが組み立てられる。かかる構成によれば、収納ポケット１５０ｂによって形成される第１収納部１４２（図２参照）の幅を引出１３０ｂの全幅と同じ幅まで広げることができるため、第１収納部１４２ひいては引出１３０ｂの収納量を更に高めることが可能となる。
【００３９】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４０】
本発明は、被収納物を収納可能な引出、および引出をスライド自在に収容する本体部とを備えた収納庫に利用することができる。
【符号の説明】
【００４１】
１００…収納庫、１０２…排水管、１１０…本体部、１１２…背板、１１４…側板、１１６…天板、１１８…シンク、１２２…第１底板、１２４…第２底板、１２４ａ…配管スペース、１２６…第３底板、１２８ａ…下側連結板、１２８ｂ…上側連結板、１３０…引出、１３０ａ…引出、１３０ｂ…引出、１３２…前板、１３４…側板、１３４ａ…溝、１３６…背板、１３６ａ…溝、１３８ａ…底板、１３８ｂ…底板、１３９…孔、１４２…第１収納部、１４２ａ…底面、１４４…第２収納部、１４４ａ…底面、１５０ａ…収納ポケット、１５０ｂ…収納ポケット、１５２…フランジ、２００ａ…被収納物、２００ｂ…被収納物
【図１】
2020014803.tif 000003
【図２】
2020014803.tif 000004
【図３】
2020014803.tif 000005
【図４】
2020014803.tif 000006